(57)【特許請求の範囲】
【請求項１】
カバーガラスと、非導電性部材からなる文字板と、指針と、ムーブメントとを備え、
前記カバーガラス側から見た平面視で、前記指針および前記指針の指示する目盛が視認される平面円形の領域により時刻表示部が構成され、
前記ムーブメントは、
回路基板と、
前記回路基板に取り付けられる平面アンテナと、
前記指針を駆動するモーターと、
電池とを備え、
前記平面アンテナ、前記モーターおよび前記電池は、それぞれの全体が前記時刻表示部と平面的に重なり、かつ、互いに平面的に重ならない位置に配置される
ことを特徴とする電子時計。
【請求項２】
請求項１に記載の電子時計において、
前記指針は、時針、分針、秒針を備え、
前記文字板の平面中心位置には、前記時針、分針、秒針の指針軸が挿通される孔が形成されている
ことを特徴とする電子時計。
【請求項３】
請求項１または請求項２に記載の電子時計において、
前記時刻表示部と平面的に重なる領域は、前記平面アンテナの平面中心点および前記電池の平面中心点を通る直線で第１領域および第２領域の２つの領域に区画され、
前記モーターは、前記第１領域に配置される第１モーターと、前記第２領域に配置される第２モーターとを備える
ことを特徴とする電子時計。
【請求項４】
請求項１から請求項３のいずれか一項に記載の電子時計において、
前記平面アンテナおよび前記電池は、前記平面アンテナの平面中心点および前記電池の平面中心点を通る直線が前記文字板の平面中心位置を通る位置に配置される
ことを特徴とする電子時計。
【請求項５】
請求項１から請求項４のいずれか一項に記載の電子時計において、
前記回路基板には切欠部が形成され、
前記電池は、前記切欠部に配置されて前記回路基板と平面的に重ならない位置に配置される
ことを特徴とする電子時計。
【請求項６】
請求項１から請求項５のいずれか一項に記載の電子時計において、
前記ムーブメントは、前記モーターの駆動力を前記指針に伝達する輪列を備え、
前記電池は、前記輪列と平面的に重ならない位置に配置される
ことを特徴とする電子時計。
【請求項７】
請求項６に記載の電子時計において、
前記ムーブメントは、前記指針が取り付けられた指針軸と、前記指針軸を支持する輪列受けとを備え、
前記輪列受けの裏蓋側に金属製部品が配置される
ことを特徴とする電子時計。
【請求項８】
請求項６または請求項７に記載の電子時計において、
前記ムーブメントは、平面視で異なる位置に配置された複数の指針軸を備え、
前記指針軸は、前記平面アンテナおよび前記電池と平面的に重ならない位置に配置される
ことを特徴とする電子時計。
【請求項９】
請求項６から請求項８のいずれか一項に記載の電子時計において、
前記時刻表示部の前記平面円形の領域における平面中心位置を通る２本の直線で前記時刻表示部と平面的に重なる領域を第１扇形領域から第４扇形領域まで４つの扇形領域に区画した際に、第１扇形領域に前記平面アンテナが配置され、かつ、前記２本の直線は、前記第１扇形領域を前記平面アンテナの全体が配置可能な最小面積となる位置に設定され、
前記第１扇形領域に対して前記時刻表示部の中心位置を挟んで対向配置される第３扇形領域には前記電池の平面中心位置が位置する
ことを特徴とする電子時計。
【請求項１０】
非導電性部材からなる文字板および指針を有する時刻表示部と、
前記指針を駆動するムーブメントとを備え、
前記ムーブメントは、
回路基板と、
前記回路基板に取り付けられる平面アンテナと、
前記指針を駆動するモーターと、
前記モーターの駆動力を前記指針に伝達する輪列と、
電池とを備え、
前記平面アンテナ、前記モーターおよび前記電池は、それぞれが前記時刻表示部と平面的に重なり、かつ、互いに平面的に重ならない位置に配置され、
前記電池は、前記輪列と平面的に重ならない位置に配置され、
前記文字板の平面中心位置を通る２本の直線で前記時刻表示部と平面的に重なる領域を第１扇形領域から第４扇形領域まで４つの扇形領域に区画した際に、第１扇形領域に前記平面アンテナが配置され、かつ、前記２本の直線は、前記第１扇形領域を前記平面アンテナの全体が配置可能な最小面積となる位置に設定され、
前記第１扇形領域に対して前記平面中心位置を挟んで対向配置される第３扇形領域には前記電池の平面中心位置が位置する
ことを特徴とする電子時計。
【請求項１１】
請求項１０に記載の電子時計において、
前記指針は、時針、分針、秒針を備え、
前記文字板の平面中心位置には、前記時針、分針、秒針の指針軸が挿通される孔が形成されている
ことを特徴とする電子時計。
【請求項１２】
請求項１０または請求項１１に記載の電子時計において、
前記モーターは、前記第２扇形領域に配置されるモーターと、前記第４扇形領域に配置されるモーターとを備える
ことを特徴とする電子時計。
【請求項１３】
請求項１０から請求項１２のいずれか一項に記載の電子時計において、
前記回路基板には切欠部が形成され、
前記電池は、前記切欠部に配置されて前記回路基板と平面的に重ならない位置に配置される
ことを特徴とする電子時計。
【請求項１４】
請求項１０から請求項１３のいずれか一項に記載の電子時計において、
前記ムーブメントは、前記指針が取り付けられた指針軸と、前記指針軸を支持する輪列受けとを備え、
前記輪列受けの裏蓋側に金属製部品が配置される
ことを特徴とする電子時計。
【請求項１５】
請求項１４に記載の電子時計において、
前記ムーブメントは、平面視で異なる位置に配置された複数の指針軸を備え、
前記指針軸は、前記平面アンテナおよび前記電池と平面的に重ならない位置に配置される
ことを特徴とする電子時計。
【請求項１６】
請求項１５に記載の電子時計において、
前記複数の指針軸は、前記第２扇形領域に配置された指針軸と、前記第４扇形領域に配置された指針軸とを備える
ことを特徴とする電子時計。
【請求項１７】
請求項１から請求項１６のいずれか一項に記載の電子時計において、
前記平面アンテナは、前記回路基板の表面に取り付けられ、
前記回路基板の裏面において、前記平面アンテナの平面中心点および前記電池の平面中心点を通る直線で区画される２つの領域の一方の領域には電子時計の制御用ＩＣが取り付けられ、他方の領域には電源用ＩＣが取り付けられている
ことを特徴とする電子時計。
【請求項１８】
請求項１から請求項１７のいずれか一項に記載の電子時計において、
前記ムーブメントは、少なくとも一部が金属からなる外装ケースに収納され、
前記文字板の外周に沿って非導電性部材からなるリング部材が配置されている
ことを特徴とする電子時計。
【請求項１９】
請求項１から請求項１８のいずれか一項に記載の電子時計において、
前記文字板には、前記平面アンテナと平面的に重ならない位置にサブダイヤルが設けられている
ことを特徴とする電子時計。
【発明の詳細な説明】
【技術分野】
【０００１】
本発明は電子時計に関し、特に平面アンテナを備える電子時計に関する。
【背景技術】
【０００２】
ＧＰＳ（Global Positioning System）等の位置情報衛星から送信される電波を受信する平面アンテナを有する電子時計が知られている（特許文献１）。
この電子時計では、文字板の裏面側に平面アンテナを配置し、この平面アンテナを周囲の金属ケースから離間させることで、アンテナの感度劣化を抑制していた。
【先行技術文献】
【特許文献】
【０００３】
【特許文献１】特開２０１２−１３６２７号公報
【発明の概要】
【発明が解決しようとする課題】
【０００４】
ところで、前記特許文献１の電子時計では、平面アンテナと電池とが回路基板を挟んで、平面的に重なる位置に配置されている。このため、電子時計の厚さ寸法が大きくなるという課題がある。特に、腕時計のような小型の電子時計に組み込まれる平面アンテナは、平面サイズが制約され、波長短縮効果を得るために誘電体を用いることが一般的である。このため、平面アンテナの厚さ寸法には誘電体の厚さ寸法も加算され、平面アンテナと電池とを積層した場合、電子時計の厚さ寸法が増大するという課題がある。
【０００５】
本発明の目的は、受信性能を確保でき、かつ、薄型化することができる電子時計を提供することにある。
【課題を解決するための手段】
【０００６】
本発明の電子時計は、非導電性部材からなる文字板および指針を有する時刻表示部と、前記指針を駆動するムーブメントとを備え、前記ムーブメントは、回路基板と、前記回路基板に取り付けられる平面アンテナと、前記指針を駆動するモーターと、電池とを備え、前記平面アンテナ、前記モーターおよび前記電池は、それぞれが前記時刻表示部と平面的に重なり、かつ、互いに平面的に重ならない位置に配置されることを特徴とする。
【０００７】
本発明の電子時計は、平面アンテナ、モーターおよび電池を、互いに平面的に重ならない位置に配置しているので、例えば、平面アンテナやモーターと電池とが時計の厚さ方向に重なる場合に比べて、電子時計を薄型化できる。
また、平面アンテナ、モーターおよび電池を、文字板および指針を備える時刻表示部と平面的に重なる位置に配置しているので、平面アンテナやモーター、電池が時刻表示部からはみ出して配置される場合に比べ、電子時計を小型化できる。
さらに、平面アンテナは、モーターや電池と平面的に重ならずに配置できるので、誘電体を積層して構成できる。このため、腕時計サイズの電子時計に組み込むために、平面サイズが小さな平面アンテナを用いても受信性能を確保できる。その上、平面アンテナは、文字板および指針を有する時刻表示部と平面的に重なるが、文字板は非導電性部材からなるため、平面アンテナでの受信性能を確保できる。また、指針を導電性部材で構成した場合でも、針状で平面積が小さいため、指針が平面アンテナと重なる位置で受信処理が行われても、受信性能への影響を最小限に抑えることができる。
したがって、受信性能を確保でき、かつ、薄型化できて腕時計に適した電子時計を提供できる。
【０００８】
本発明の電子時計において、前記指針は、時針、分針、秒針を備え、前記文字板の平面中心位置には、前記時針、分針、秒針の指針軸が挿通される孔が形成されていることが好ましい。
このような構成であれば、文字板の平面中心位置に、時針、分針、秒針の指針軸が配置される３針の一般的な腕時計において、受信性能を確保でき、かつ、薄型化および小型化できる。
【０００９】
本発明の電子時計において、前記時刻表示部と平面的に重なる領域は、前記平面アンテナの平面中心点および前記電池の平面中心点を通る直線で第１領域および第２領域の２つの領域に区画され、前記モーターは、前記第１領域に配置される第１モーターと、前記第２領域に配置される第２モーターとを備えることが好ましい。
このような構成であれば、第１モーターおよび第２モーターの２つのモーターを備える場合に、各モーターを第１領域および第２領域に分散して配置できるので、複数のモーターをバランス良く配置でき、平面アンテナ、電池およびモーターのレイアウト設計が容易になる。さらに、平面アンテナと電池との間に第１モーター、第２モーターが配置されるので、平面アンテナおよび電池を離して配置でき、平面アンテナの受信性能を確保しやすくできる。
なお、モーターが３つ以上設けられる場合は、第１領域および第２領域に分散して配置すればよい。この際、モーターが偶数個設けられる場合には、２つの領域にそれぞれ同数のモーターを配置することが好ましい。また、モーターが奇数個設けられる場合には、一方の領域には他方の領域に比べて１台多くモーターを配置することが好ましい。これらの配置であれば、各領域にモーターをバランス良く配置できる。
【００１０】
本発明の電子時計において、前記平面アンテナおよび前記電池は、前記平面アンテナの平面中心点および前記電池の平面中心点を通る直線が前記文字板の平面中心位置を通る位置に配置されることが好ましい。
このような構成であれば、平面アンテナおよび電池を、文字板の平面中心位置を挟んだ位置に配置できる。このため、平面アンテナおよび電池を離して配置でき、平面アンテナの受信性能を確保しやすくできる。
【００１１】
本発明の電子時計において、前記回路基板には切欠部が形成され、前記電池は、前記切欠部に配置されて前記回路基板と平面的に重ならない位置に配置されることが好ましい。
このような構成であれば、回路基板の切欠部に電池を配置できるので、例えば回路基板の裏面側（裏蓋側）に電池を配置する場合に比べて電子時計の厚さ寸法を小さくでき、時計を薄型化できる。また、回路基板の裏面側に電池を配置する必要が無いため、厚さ寸法の大きな電池を組み込むことができる。このため、平面サイズの小さな電池を利用でき、電池を平面アンテナやモーターと平面的に重ならないように配置した場合に、時計を小型化できる。
【００１２】
本発明の電子時計において、前記ムーブメントは、前記モーターの駆動力を前記指針に伝達する輪列を備え、前記電池は、前記輪列と平面的に重ならない位置に配置されることが好ましい。
このような構成であれば、電池は、ムーブメントにおいて、平面アンテナ、モーター、輪列と平面的に重ならない位置に配置できるので、厚さ寸法の大きな電池を用いることができる。このため、平面サイズの小さな電池を利用でき、電池を平面アンテナ、モーター、輪列と平面的に重ならないように配置した場合でも、時計を小型化できる。
【００１３】
本発明の電子時計において、前記ムーブメントは、前記指針が取り付けられた指針軸と、前記指針軸を支持する輪列受けとを備え、前記輪列受けの裏蓋側に金属製部品が配置されることが好ましい。
このような構成であれば、指針が取り付けられる指針軸と電池とは平面的に重ならないため、指針軸を支持する輪列受けの裏面側に耐磁板や回路押さえなどの金属製部品を配置できる。このため、指針軸に針を押し込んで取り付ける場合に、指針軸に加わる力を、輪列受けを介して金属製部品で支持することができ、安定した針取付性を確保できる。
【００１４】
本発明の電子時計において、前記ムーブメントは、平面視で異なる位置に配置された複数の指針軸を備え、前記指針軸は、前記平面アンテナおよび前記電池と平面的に重ならない位置に配置されることが好ましい。
このような構成であれば、時刻表示部の中心位置やサブダイヤル位置に設けられる複数の指針軸が、平面アンテナおよび電池と平面的に重ならないため、指針軸を支持する輪列受けの裏面側に耐磁板や回路押さえなどの金属製部品を配置できる。このため、各指針軸に針を押し込んで取り付ける場合に、各指針軸に加わる力を、輪列受けを介して金属製部品で支持することができ、複数の指針軸を有する場合でも安定した針取付性を確保できる。
【００１５】
本発明の電子時計において、前記時刻表示部の中心位置を通る２本の直線で前記時刻表示部と平面的に重なる領域を第１扇形領域から第４扇形領域まで４つの扇形領域に区画した際に、第１扇形領域に前記平面アンテナが配置され、かつ、前記２本の直線は、前記第１扇形領域を前記平面アンテナの全体が配置可能な最小面積となる位置に設定され、前記第１扇形領域に対して前記時刻表示部の中心位置を挟んで対向配置される第３扇形領域には前記電池の平面中心位置が位置することが好ましい。
このような構成であれば、平面アンテナと電池とを前記時刻表示部の中心位置を挟んでほぼ対向する第１扇形領域および第３扇形領域に分散して配置でき、残りの２つの扇形領域にはモーターなどを配置できる。したがって、ムーブメントのスペースを効率よく活用できる。
【００１６】
本発明の電子時計において、前記平面アンテナは、前記回路基板の表面に取り付けられ、前記回路基板の裏面には、前記平面アンテナで受信した信号を処理する受信素子が取り付けられていることが好ましい。
このような構成であれば、受信素子と平面アンテナとの間に回路基板を配置でき、この回路基板は平面アンテナのグランド電極に導通したグランド基板にできるので、受信素子で発生する信号ノイズが、平面アンテナでの電波受信に影響することを防止できる。このため、平面アンテナの受信特性を向上できる。
【００１７】
本発明の電子時計において、前記平面アンテナは、前記回路基板の表面に取り付けられ、前記回路基板の裏面において、前記平面アンテナの平面中心点および前記電池の平面中心点を通る直線で区画される２つの領域の一方の領域には電子時計の制御用ＩＣが取り付けられ、他方の領域には電源用ＩＣが取り付けられていることが好ましい。
このような構成であれば、腕時計の部品の中では比較的大きな部品である制御用ＩＣや電源用ＩＣを回路基板の裏面において分散して配置することができる。このため、回路基板の表面側にＩＣを配置する必要が無く、回路基板の表面側に配置される平面アンテナ、モーター、輪列などの配置スペースを確保できる。
さらに、回路基板の裏面と裏蓋との間には、部品が配置されることも殆どないため、受信素子、制御用ＩＣ、電源用ＩＣを容易に配置することができる。
【００１８】
本発明の電子時計において、前記ムーブメントは、少なくとも一部が金属からなる外装ケースに収納され、前記文字板の外周に沿って非導電性部材からなるリング部材が配置されていることが好ましい。
外装ケースの一部、例えば、胴や裏蓋を金属製にできるので、電子時計の質感を向上できる。さらに、文字板の外周に沿って配置されるダイヤルリング等のリング部材を非導電性部材で構成しているので、平面アンテナは、時計のカバーガラス側から、文字板やリング部材を通して電波を受信でき、胴や裏蓋が金属製であっても受信性能を確保できる。
【００１９】
本発明の電子時計において、前記文字板には、前記平面アンテナと平面的に重ならない位置にサブダイヤルが設けられていることが好ましい。
このような構成であれば、平面アンテナと平面的に重ならない位置にサブダイヤルを設けているので、サブダイヤルの目盛等に金属製部品を用いることができ、意匠性を向上できる。
【図面の簡単な説明】
【００２０】
【図１】本発明の第１実施形態に係る電子時計を示す概略図。
【図２】前記電子時計の平面図。
【図３】前記電子時計の断面図。
【図４】前記電子時計の断面図。
【図５】前記電子時計の分解斜視図。
【図６】前記電子時計のムーブメントの要部を示す平面図。
【図７】前記電子時計の平面アンテナの構造を示す断面図。
【図８】前記電子時計の平面アンテナの放射パターンを示す特性図。
【図９】前記電子時計の回路構成を示すブロック図。
【図１０】本発明の第２実施形態に係る電子時計の断面図。
【図１１】第２実施形態の電子時計のムーブメントの要部を示す平面図。
【図１２】第２実施形態の電子時計の一部を示す断面図。
【図１３】本発明の変形例に係る電子時計の回路基板および平面アンテナを示す概略斜視図。
【図１４】本発明の他の変形例に係るムーブメントの要部を示す平面図。
【図１５】本発明の他の変形例に係るムーブメントの要部を示す平面図。
【発明を実施するための形態】
【００２１】
［第１実施形態］
以下、本発明に係る第１実施形態を図面に基づいて説明する。なお、本実施形態では、電子時計１のカバーガラス３１側を表面側（上側）とし、裏蓋１２側を裏面側（下側）として説明する。
図１、２に示すように、電子時計１は、文字板２および指針３を有する時刻表示用の時刻表示部１Ａと、文字板２のサブダイヤル２Ａおよび指針４を有する情報表示部１Ｂと、文字板２の日窓２Ｂおよび日車５を有するカレンダー表示部１Ｃとを備える腕時計である。
【００２２】
文字板２は、ポリカーボネートなどの非導電性部材にて円板状に形成されている。サブダイヤル２Ａは文字板２の８時位置に設けられ、日窓２Ｂは文字板２の３時位置に設けられている。文字板２には、図３および図４に示すように、サブダイヤル２Ａ、日窓２Ｂの他、指針３の指針軸３Ａが挿通される貫通孔２Ｃと、指針４の指針軸４Ａが挿通される貫通孔２Ｄも形成されている。貫通孔２Ｃは、文字板２の平面中心位置に形成されている。貫通孔２Ｄは、前記貫通孔２Ｃと文字板２の８時位置を示す目盛とを結ぶ線上またはその近辺に形成されている。
【００２３】
図３は、文字板２の５時位置および１１時位置を結ぶ線に沿った断面図であり、図４は、文字板２の２時位置および８時位置を結ぶ線に沿った断面図である。
サブダイヤル２Ａおよび指針（小針）４からなる情報表示部１Ｂは、時計のモードや曜日や電池残量等の情報を表示する。
指針３は、秒針３Ｂ、分針３Ｃ、時針３Ｄを備えて構成される。指針３，４および日車５は、後述するステップモーター２２１〜２２４および輪列２２５，２２７，２２８を介して駆動される。
また、電子時計１には、図２に示すように、外部操作用のリューズ６、ボタン７，８が設けられている。
【００２４】
電子時計１は、地球の上空を所定の軌道で周回している複数のＧＰＳ衛星Ｓなどからの衛星信号を受信して衛星時刻情報を取得し、内部時刻情報を修正できるように構成されている。
なお、図１に示すＧＰＳ衛星Ｓは、位置情報衛星の一例であり、地球の上空に複数存在している。現在は約３０個のＧＰＳ衛星が周回している。
【００２５】
［電子時計の外装構造］
図２、図３、図４に示すように、電子時計１は、後述するムーブメント２０等を収容する外装ケース１０を備える。外装ケース１０は、ケース本体１１と、裏蓋１２とを備える。
ケース本体１１は、円筒状の胴１１１と、胴１１１の表面側に設けられたベゼル１１２とを備える。
ベゼル１１２は、リング状に形成されている。そして、ベゼル１１２と胴１１１とは、互いの対向面に形成された凹凸による嵌め合わせ構造あるいは両面粘着テープや接着剤等の手段により接続されている。なお、ベゼル１１２は、胴１１１に対して回転可能に取り付けられていてもよい。
また、ベゼル１１２の内側には、ベゼル１１２によって保持されたカバーガラス３１が取り付けられている。
【００２６】
ケース本体１１の裏面側には、ケース本体１１の裏面側の開口を塞ぐ円板状の裏蓋１２が設けられている。裏蓋１２は、ケース本体１１の胴１１１にねじ構造により接続される。
なお、本実施形態では、胴１１１と裏蓋１２とは、別体で構成されているが、これに限らず、胴１１１および裏蓋１２が一体化されたワンピースケースでもよい。
胴１１１、ベゼル１１２、裏蓋１２には、ＢＳ（真鍮）、ＳＵＳ（ステンレス鋼）、チタン合金などの導電性の金属材料が利用される。
【００２７】
［電子時計の内部構造］
次に、電子時計１の外装ケース１０に内蔵される内部構造について説明する。
図２〜５に示すように、外装ケース１０内には、文字板２の他、ムーブメント２０、平面アンテナ（パッチアンテナ）４０、日車５、ダイヤルリング３２等が収容される。
【００２８】
ムーブメント２０は、地板２１、地板２１に支持される駆動体２２、回路基板２３、二次電池２４、太陽電池パネル２５を備える。
地板２１は、プラスチック等の非導電性部材にて形成されている。地板２１は、駆動体２２を収容する駆動体収容部２１Ａと、日車５が配置される日車配置部２１Ｂと、平面アンテナ４０を収容するアンテナ収容部２１Ｃとを備える。日車配置部２１Ｂは、地板２１の表面に形成されたリング状の凹溝部で構成されている。
【００２９】
駆動体収容部２１Ａおよびアンテナ収容部２１Ｃは、地板２１の裏面側に設けられている。アンテナ収容部２１Ｃは、図３にも示すように、平面形状が矩形状に構成された平面アンテナ４０の４つの側面に各々対向する４つの壁部２１４（図３には２つのみ図示）と、平面アンテナ４０の表面に対向する被覆部２１５とを備える。本実施形態の被覆部２１５は、平面アンテナ４０の表面全体を被覆しているが、平面アンテナ４０のアンテナ電極４２の少なくとも一部と平面的に重なる貫通孔を被覆部２１５に形成してもよい。なお、４つの壁部２１４および被覆部２１５は地板２１に一体化して形成されている。
アンテナ収容部２１Ｃは、平面位置が文字板２の５時位置であるため、図２に示すように、平面アンテナ４０は５時位置に配置されている。具体的には、平面アンテナ４０は、指針３の指針軸３Ａとケース本体１１との間であり、かつ、文字板２の略４時位置から略６時位置の範囲に配置されている。
【００３０】
駆動体２２は、地板２１の駆動体収容部２１Ａに収容され、時刻表示部１Ａ、情報表示部１Ｂ、カレンダー表示部１Ｃの各指針３，４、日車５を駆動する。すなわち、駆動体２２は、図４および図６に示すように、指針３の時針３Ｄおよび分針３Ｃを駆動する第１ステップモーター２２１および第１輪列２２５と、指針３の秒針３Ｂを駆動する第２ステップモーター２２２および第２輪列（図示略）と、指針４を駆動する第３ステップモーター２２３および第３輪列２２７と、日車５を駆動する第４ステップモーター２２４および第４輪列２２８（図５参照）とを有する。
【００３１】
これらのステップモーター２２１〜２２４は、第１領域２０１および第２領域２０２に分散して配置されている。第１領域２０１および第２領域２０２は、時刻表示部１Ａと平面的に重なる領域において、平面アンテナ４０の平面中心点４０１と、二次電池２４の平面中心位置２４１とを結ぶ直線２００で区画される。
本実施形態では、時刻表示部１Ａは、平面円形に形成されており、前記直線２００は時刻表示部１Ａの平面中心、つまり貫通孔２Ｃを通る直線とされている。このため、直線２００は時刻表示部１Ａの直径に重なり、第１領域２０１および第２領域２０２はほぼ同じ形状、面積である。
第１領域２０１は、文字板２のほぼ１１時の目盛から５時の目盛までの領域であり、日窓２Ｂが含まれる領域である。この第１領域２０１には、時針３Ｄおよび分針３Ｃを駆動する第１ステップモーター（第１モーター）２２１と、日車５を駆動する第４ステップモーター２２４とが配置されている。
第２領域２０２は、文字板２のほぼ５時の目盛から１１時の目盛までの領域であり、サブダイヤル２Ａが含まれる領域である。この第２領域２０２には、秒針３Ｂを駆動する第２ステップモーター（第２モーター）２２２と、サブダイヤル２Ａの指針４を駆動する第３ステップモーター２２３とが配置されている。
したがって、平面視で文字板２のほぼ１１時位置に二次電池２４が配置され、ほぼ５時位置に平面アンテナ４０が配置されている。さらに、図６に示すように、平面視で文字板２の３時位置には、リューズ６に接続される巻真８１が配置され、巻真８１の周囲には、おしどり８２等のスイッチ機構（切換機構）が配置されている。
【００３２】
回路基板２３は、図５にも示すように、平面略円形に形成され、かつ、二次電池２４が配置される略円形の切欠部２３１が形成されている。この回路基板２３は、文字板２側の面である表面が地板２１の裏面に当接され、ねじ等によって地板２１に固定されている。回路基板２３の表面側には、平面アンテナ４０が実装されている。また、回路基板２３の裏面側には、図３，４に示すように、ＧＰＳ衛星Ｓから受信した衛星信号を処理する受信部５０（受信素子、受信用ＩＣ）と、ステップモーター２２１〜２２４の制御を行う制御部（制御用ＩＣ）６１と、電源用ＩＣ７５などが実装されている。
【００３３】
本実施形態では、ムーブメント２０が金属製のケース本体１１に収納されており、電波が遮蔽されやすい。このため、受信性能を高めるためには、平面アンテナ４０はなるべく文字板２に近い位置に配置することが好ましい。このため、平面アンテナ４０が固定される回路基板２３も文字板２に近い位置が好ましい。また、二次電池２４の厚みもあるため、回路基板２３の裏面側（裏蓋１２側）に受信部５０、制御部６１、電源用ＩＣ７５を配置することで、スペースを有効利用でき、電子時計１を小型化できる。
さらに、受信部５０、制御部６１、電源用ＩＣ７５は、平面アンテナ４０に対して、回路基板２３の反対側に配置されているので、受信回路や電源回路から発生するデジタルノイズが平面アンテナ４０に飛び込みにくくなるので、受信感度も向上できる。
さらに、受信部５０、制御部６１、電源用ＩＣ７５は、シールド板２６で囲まれているので、互いに受信部５０、制御部６１、電源用ＩＣ７５が発生するノイズの影響を受けることもない。
【００３４】
二次電池２４は、図５，６に示すように、平面円形に形成されたボタン型のリチウムイオン電池である。二次電池２４は、駆動体２２、受信部５０、制御部６１等に電力を供給する。二次電池２４は、回路基板２３の切欠部２３１に設けられ、平面視において、平面アンテナ４０、ステップモーター２２１〜２２４、受信部５０、制御部６１および電源用ＩＣ７５と重ならない位置に配置されている。
一方、二次電池２４は、輪列２２５，２２７，２２８の一部とは平面的に重なって配置される。ただし、輪列２２５，２２７，２２８はステップモーター２２１〜２２４と比べて厚さ寸法が小さいため、二次電池２４が輪列２２５，２２７，２２８と重なって配置されても、ステップモーター２２１〜２２４や平面アンテナ４０と平面的に重ならないように配置することで電子時計１を薄型化できる。
【００３５】
太陽電池パネル２５は、光を通すために表面電極はＩＴＯ（Indium Tin Oxide）などの透明電極で形成されている。また、樹脂フィルムで構成されたベース上に、発電層としてアモルファスシリコン半導体の薄膜が形成されている。
ＧＰＳ衛星信号の周波数は、約１．５ＧＨｚであり、高周波であるため、電波時計で受信する長波の標準電波と異なり、ソーラーパネルの薄い透明電極でも電波は減衰し、アンテナ特性が低下する。このため、円板状に形成された太陽電池パネル２５は、平面アンテナ４０と平面視で重なる部分に切欠部２５１が形成されている。このため、太陽電池パネル２５は、地板２１の表面側に配置され、平面アンテナ４０の表面側には配置されていない。したがって、平面アンテナ４０は、太陽電池パネル２５の切欠部２５１を通して電波を受信できる。
なお、太陽電池パネル２５には、文字板２の日窓２Ｂと平面的に重なる開口２５２や、指針３，４の指針軸３Ａ，４Ａが挿通される孔２５３，２５４が形成されている。
さらに、太陽電池パネル２５は、複数のセルに分割され、各セルは直列に接続されている。本実施形態の太陽電池パネル２５は、図５に示すように、７個のソーラーセルを有し、各ソーラーセルが直列に接続されている。１つのソーラーセルでの起電圧は約０．６Ｖ以上である。このため、７個のソーラーセルを直列に接続すれば、約０．６Ｖ×７段＝約４．２Ｖ以上の起電圧が得られる。したがって、起電圧が大きなリチウムイオン二次電池を充電でき、ＧＰＳ受信装置（ＧＰＳモジュール）などの消費電流の大きなデバイスを内蔵できる。
【００３６】
アンテナ収容部２１Ｃには、パッチアンテナ（マイクロストリップアンテナ）である平面アンテナ４０が配置される。平面アンテナ４０は、ＧＰＳ衛星Ｓからの衛星信号を受信するものである。この平面アンテナ４０の詳細については後述する。
【００３７】
地板２１の日車配置部２１Ｂには、リング状に形成され、表面に日付が表示されたカレンダー車である日車５が配置される。日車５は、プラスチック等の非導電性部材により形成されている。ここで、日車５は、平面視において、平面アンテナ４０の少なくとも一部と重なっている。なお、カレンダー車としては、日車に限らず、曜日を表示する曜車や、月を表示する月車などでもよい。
【００３８】
地板２１の表面側には、太陽電池パネル２５および日車５の表面側を覆って、文字板２が配置される。文字板２は、非導電性を有し、かつ、少なくとも一部の光を透過させる透光性を有するプラスチックなどの材料で形成されている。
ここで、平面視において平面アンテナ４０と重なる文字板２の表面に、略字等を設けることができる。この場合、平面アンテナ４０の受信性能を向上させるため、これらのパーツは、金属製ではなく、プラスチック等の非導電性部材にて形成することが好ましい。一方、平面アンテナ４０と平面的に重ならないサブダイヤル２Ａや略字は、金属パーツを用いることができる。
また、文字板２は、透光性を有するため、時計の表面側から見て、文字板２の裏面側に配置された太陽電池パネル２５が透けて見える。このため、太陽電池パネル２５が配置されている領域と配置されていない領域とで、文字板２の色が違って見える。この色の違いが目立たないように、文字板２にはデザイン的なアクセントをつけてもよい。
さらに、太陽電池パネル２５に切欠部２５１を形成したことで、切欠部２５１に重なる部分の文字板２の色調が他の部分と違って見えることがある。それを防止するために太陽電池パネル２５と同色（例えば紺色や紫色）のプラスチックシートを太陽電池パネル２５の下に重ねてもよいし、太陽電池パネル２５全体を切り欠かずに、電波遮蔽する電極層を平面アンテナ４０と平面的に重なる部分のみ取り除いて、基材となる樹脂フィルム層を残して色調を合わせてもよい。
【００３９】
文字板２の表面側には、非導電性部材である合成樹脂（例えばＡＢＳ樹脂）にて形成されたリング部材であるダイヤルリング３２が設けられる。ダイヤルリング３２は、文字板２の周囲に沿って配置され、内周面が傾斜面（円錐面）とされ、この傾斜面には時字マークやワールドタイムの時差などの目盛が印刷されている。ダイヤルリング３２をプラスチックで成形すれば、受信性能も確保でき、かつ、複雑な形状も形成できて意匠性を向上できる。このダイヤルリング３２は、ベゼル１１２によって文字板２側へ押しつけられて保持されている。したがって、本実施形態の時刻表示部１Ａは、カバーガラス３１側から見た平面視で、指針３および指針３の指示する目盛が視認される領域で構成され、具体的には、文字板２においてダイヤルリング３２で区画される露出面と、指針３と、ダイヤルリング３２においてベゼル１１２で区画される露出面とで構成される。すなわち、時刻表示部１Ａは、電子時計１をカバーガラス３１側から見た平面視で、ベゼル１１２の内周面で区画された円形部分で構成されている。
【００４０】
［平面アンテナ］
平面アンテナ４０は、平面視において、ケース本体１１（胴１１１およびベゼル１１２）、太陽電池パネル２５とは重ならずに、非導電性部材にて形成された日車５、文字板２、カバーガラス３１と重なっている。すなわち、電子時計１では、平面アンテナ４０の時計表面側において、平面視で平面アンテナ４０と重なる部品はすべて非導電性部材にて形成されている。
このため、時計表面側から伝播されてくる衛星信号は、カバーガラス３１を透過した後、ケース本体１１または太陽電池パネル２５によって遮られることなく、文字板２、日車５、地板２１を透過して平面アンテナ４０に入射する。なお、指針３，４は平面アンテナ４０と重なる面積が小さいことから、金属製であっても衛星信号の受信に支障ないが、非導電性部材であれば衛星信号が遮断される影響をより回避できる点で好ましい。
【００４１】
ＧＰＳ衛星Ｓは、右旋円偏波で衛星信号を送信している。そのため、本実施形態の平面アンテナ４０は、円偏波特性に優れるパッチアンテナ（マイクロストリップアンテナともいう）で構成されている。
本実施形態の平面アンテナ４０は、図７に示すように、セラミックの誘電体基材４１に導電性のアンテナ電極４２を積層したパッチアンテナである。
この平面アンテナ４０は、次のようにして製造できる。まず、比誘電率が６０〜１００程度のチタン酸バリウムを主原料にプレス機で目的の形に成形し、焼成を経てアンテナの誘電体基材４１となるセラミックスを完成する。誘電体基材４１の裏面（回路基板２３側の面）には、主に銀（Ag）等のペースト材をスクリーン印刷すること等で、アンテナのグランド（ＧＮＤ）となるＧＮＤ電極４３を構成する。
誘電体基材４１の表面（地板２１、文字板２側の面）には、アンテナの周波数、受信する信号の偏波を決める放射アンテナ電極４２をＧＮＤ電極４３と同様な方法で構成する。アンテナ電極４２は、誘電体基材４１の表面よりも一回り小さく形成されており、誘電体基材４１の表面においてアンテナ電極４２の周囲には、アンテナ電極４２が積層されていない露出面４１１が設けられる。
【００４２】
図７は、平面アンテナ（パッチアンテナ）４０の原理説明図であり、点線４５は、平面アンテナ４０で受信する電波を示し、矢印４６は電気力線を示す。
パッチアンテナが方形の場合は一辺が半波長で共振し、円形の場合は直径が約０．５８波長で共振するが、誘電体を使うと波長短縮効果で小形化できる。パッチアンテナの動作原理は、パッチ（アンテナ電極４２）の縁に沿った強い電界が、縁から空間へ向かって放射されるため、アンテナ近傍の電気力線は強くなり、近傍の金属や誘電体の影響を受けやすい。このため、ＧＰＳ受信においては、金属製の胴１１１とアンテナ電極４２との距離は少なくとも３ｍｍ、理想的には４ｍｍ程度離す必要がある。
本実施形態では、平面アンテナ４０と、胴１１１との間には、前記壁部２１４等が配置されており、平面アンテナ４０は胴１１１の内周面から所定寸法以上、離間した位置に配置される。このため、平面アンテナ４０を金属製の胴１１１に近づけることで生じる受信特性の劣化等を抑制でき、電子時計１に求められる受信性能を確保できる。
また、本実施形態の平面アンテナ４０は、誘電体基材４１およびアンテナ電極４２が平面略矩形状に形成されている。
【００４３】
図８は平面アンテナ４０の放射パターンを示す特性図であり、平面アンテナ（パッチアンテナ）４０の平面方向をＸ軸とし、天頂方向をＺ軸とする。
平面アンテナ４０は、図８に示すように、天頂方向であるＺ軸方向に最も指向性を有するため、文字板２に対して垂直方向に入射する無線電波を最も受信しやすい。また、平面アンテナ４０の側面方向であるＸ軸方向の指向性は、Ｚ軸方向に比べれば小さいがある程度の強さを有するため、平面アンテナ４０の側面に金属製のケース本体１１（胴１１１）が近接配置されると受信性能に影響が出てしまう。
一方、平面アンテナ４０の下面方向である−Ｚ軸方向の指向性は弱いため、周囲に一様な指向性を有する無指向性のアンテナと比べて、金属製の部品や裏蓋１２が下面側に配置されていても受信性能には影響しにくい。
なお、本実施形態の電子時計１は、ユーザーの腕に装着されて様々な姿勢で衛星信号を受信するため、平面アンテナ４０は図８に示すように、天頂方向以外にもなるべく指向性を持つことが理想である。したがって、ベゼル１１２やダイヤルリング３２を非導電性部材で構成すれば、平面アンテナ４０の指向性を改善できる。
【００４４】
この平面アンテナ４０は、回路基板２３の表面に実装され、回路基板２３の裏面の受信部５０であるアンテナＧＰＳモジュールに電気的に接続される。さらに、平面アンテナ４０のＧＮＤ電極４３を回路基板２３のグランドパターンを介して受信部５０のグランド部に導通させることで、回路基板２３はグランド板（グランドプレーン）として機能する。さらに、受信部５０のグランド部を、回路基板２３のグランドパターンを介して金属製の胴１１１や裏蓋１２に導通することで、胴１１１や裏蓋１２もグランドプレーンとして利用できる。
【００４５】
この平面アンテナ４０は、回路基板２３を地板２１に固定することで、アンテナ収容部２１Ｃに配置される。ここで、平面アンテナ４０は、1.54542ＧＨｚという高周波の信号
を受信するものであり、また、高誘電率のセラミックで誘電体基材４１を構成しているので、周囲の部品の影響を受けやすい。地板２１は、プラスチックではあるが、比誘電率が３〜４であり、特にアンテナ電極４２との間隔が約１．０ｍｍ以下になると受信周波数に影響する。すなわち、地板２１とアンテナ電極４２との間隔が僅かにばらつくだけでアンテナ周波数がシフトしてしまい、受信性能が劣化する。
【００４６】
このため、地板２１のアンテナ収容部２１Ｃにおいて、平面アンテナ４０の露出面４１１と被覆部２１５との間には、スポンジなどで構成された緩衝材４７が配置され、アンテナ電極４２と被覆部２１５との間隔が一定となるように構成されている。また、誘電体基材４１はセラミックで硬く欠けやすいが、緩衝材４７が介在されているため、誘電体基材４１が地板２１に衝突することを防止できる。
【００４７】
また、平面アンテナ４０の文字板２側には、前記日車５の一部が配置される。この際、アンテナ電極４２と日車５とは、少なくとも被覆部２１５の厚さ寸法分は離れているので、日車５がアンテナ周波数のシフトに影響することもない。
【００４８】
［電子時計の回路構成］
図９は、電子時計１の回路構成を示す概略図である。
電子時計１は、図９に示すように、平面アンテナ４０と、フィルター（ＳＡＷ）３５と、受信部５０と、制御表示部６０と、電源供給部７０を含んで構成されている。
フィルター３５は、バンドパスフィルターであり、１．５ＧＨｚの衛星信号を通過させるものとなっている。また、平面アンテナ４０とフィルター３５との間に、受信感度を良好にするＬＮＡ（ローノイズアンプ）を別途組み込む構成としてもよい。
なお、フィルター３５が受信部５０内に組み込まれる構成としてもよい。
【００４９】
受信部５０は、フィルター３５を通過した衛星信号を処理するものであり、ＲＦ部（Radio Frequency：無線周波数）５１とベースバンド部５２を備える。
ＲＦ部５１は、ＰＬＬ回路５１１、ＶＣＯ（Voltage Controlled Oscillator）５１２、ＬＮＡ（Low Noise Amplifier）５１３、ミキサー５１４、ＩＦアンプ５１５、ＩＦフィルター５１６、ＡＤＣ（Ａ／Ｄ変換器）５１７等を備えている。
【００５０】
そして、フィルター３５を通過した衛星信号は、ＬＮＡ５１３で増幅された後、ミキサー５１４でＶＣＯ５１２の信号とミキシングされ、ＩＦ（Intermediate Frequency：中間周波数）にダウンコンバートされる。
ミキサー５１４でミキシングされたＩＦは、ＩＦアンプ５１５、ＩＦフィルター５１６を通り、ＡＤＣ（Ａ／Ｄ変換器）５１７でデジタル信号に変換される。
【００５１】
ベースバンド部５２は、ＤＳＰ（Digital Signal Processor）５２１、ＣＰＵ（Central Processing Unit）５２２、ＲＴＣ（リアルタイムクロック）５２３、ＳＲＡＭ（Static Random Access Memory）５２４を備えている。また、ベースバンド部５２には、温度補償回路付き水晶発振回路（ＴＣＸＯ）５３やフラッシュメモリー５４等も接続されている。
そして、ベースバンド部５２は、ＲＦ部５１のＡＤＣ５１７からデジタル信号が入力され、相関処理や測位演算等を行うことにより、衛星時刻情報や測位情報を取得できるようになっている。
なお、ＰＬＬ回路５１１用のクロック信号は、温度補償回路付き水晶発振回路（ＴＣＸＯ）５３から生成されるようになっている。
【００５２】
制御表示部６０は、制御部（ＣＰＵ）６１と、指針３，４等の駆動を実施する駆動回路６２と、時刻表示部および情報表示部等とを備えている。
制御部６１は、ＲＴＣ６１１、記憶部６１２を含んで構成されている。
ＲＴＣ６１１は、水晶振動子６３から出力される基準信号を用いて、内部時刻情報を計時している。
記憶部６１２は、受信部５０から出力される衛星時刻情報や測位情報を記憶する。また、記憶部６１２には、測位情報に対応する時差データも記憶され、ＲＴＣ６１１で計時されている内部時刻情報および時差データにより、現在地のローカルタイムを算出できるようにされている。
【００５３】
本実施形態の電子時計１は、上述のような受信部５０および制御表示部６０を備えていることで、ＧＰＳ衛星Ｓから受信した衛星信号に基づいて時刻表示を自動的に修正することができる。
【００５４】
電源供給部７０は、太陽電池パネル２５、充電制御回路７１、二次電池２４、第１レギュレーター７２、第２レギュレーター７３、電圧検出回路７４を含んで構成されている。
【００５５】
太陽電池パネル２５は、光が入射して発電すると、その光発電により得られる電力を、充電制御回路７１を通じて二次電池２４に供給して二次電池２４を充電する。
二次電池２４は、第１レギュレーター７２を介して制御表示部６０に駆動電力を供給し、第２レギュレーター７３を介して受信部５０に駆動電力を供給する。
電圧検出回路７４は、二次電池２４の電圧をモニターし、制御部６１に出力する。従って、制御部６１は、二次電池２４の電圧を把握して受信処理を制御できる。
【００５６】
［実施形態の作用効果］
電子時計１は、ムーブメント２０において、平面アンテナ４０、ステップモーター２２１〜２２４、二次電池２４を、それぞれ互いに平面的に重ならない位置に配置している。したがって、電子時計１の部品のなかで厚さ寸法が大きい前記３つの部品が時計の厚さ方向に重なることがなく、例えば、電池と平面アンテナとが平面的に重なる場合に比べて電子時計１を薄型化できる。
また、平面アンテナ４０、ステップモーター２２１〜２２４および二次電池２４を、文字板２および指針３を備える時刻表示部１Ａと平面的に重なる位置に配置している。したがって、平面アンテナ４０やステップモーター２２１〜２２４、二次電池２４が時刻表示部１Ａから平面的にはみ出して配置される場合に比べ、電子時計１の平面サイズを容易に小さくできる。したがって、電子時計１を容易に小型化、薄型化できる。
【００５７】
平面アンテナ４０は、ステップモーター２２１〜２２４や二次電池２４と平面的に重ならずに配置できるので、誘電体基材４１を積層して構成できる。このため、腕時計サイズの電子時計１に組み込むために、平面サイズが小さな平面アンテナ４０を用いても受信性能を確保できる。平面アンテナ４０は、時刻表示部１Ａの文字板２と平面的に重なるが、文字板２は非導電性部材からなるため、平面アンテナ４０での受信性能を確保できる。また、指針３を導電性部材で構成した場合でも、針状で平面積が小さいため、受信性能への影響を最小限に抑えることができる。
したがって、受信性能を確保でき、かつ、薄型化できて腕時計に適した電子時計を提供できる。
【００５８】
地板２１の平面領域を、第１領域２０１、第２領域２０２に区画した際に、第１領域２０１に２つのステップモーター２２１、２２４を配置し、第２領域２０２に２つのステップモーター２２２、２２３を配置している。このため、４つのステップモーター２２１〜２２４を各領域２０１，２０２にバランス良く分散配置でき、平面アンテナ４０、二次電池２４、ステップモーター２２１〜２２４のレイアウト設計を容易に行うことができる。
さらに、平面アンテナ４０と二次電池２４とは、各中心点２４１、４０１を結ぶ直線２００が地板２１や文字板２の平面中心位置を通るようにレイアウトされているので、文字板２や地板２１と平面的に重なる領域内において、平面アンテナ４０と二次電池２４とを最も離して配置することができる。このため、平面アンテナ４０の受信時に金属製ケースを有する二次電池２４が影響することを最小限に抑制でき、受信性能を容易に確保できる。
その上、平面視で文字板２の３時位置には、巻真８１やおしどり８２等の切換機構が配置されるため、時計部品の中で比較的大きな部品である平面アンテナ４０や二次電池２４を３時位置に配置すると電子時計１の平面サイズを大型化しなければならない。これに対し、本実施形態では、平面アンテナ４０および二次電池２４を３時位置を避けて配置しているので、３時位置に配置される切換機構とレイアウト的に干渉せず、そのため電子時計１の平面サイズを小さくできる。
【００５９】
回路基板２３の切欠部２３１に二次電池２４を配置したので、回路基板２３の裏面側に電池を配置する場合に比べて電子時計１の厚さ寸法を小さくでき、電子時計１を薄型化できる。また、回路基板２３の裏面側に二次電池２４を配置する必要が無いため、平面積が小さく厚さ寸法の大きな電池を組み込むことができる。このため、電池を平面アンテナ４０やステップモーター２２１〜２２４と平面的に重ならないように配置した場合でも、電子時計１を小型化できる。
【００６０】
回路基板２３の裏面側には、受信部５０が配置され、この受信部５０と平面アンテナ４０との間に回路基板２３を配置したので、回路基板２３を平面アンテナ４０のグランド基板として利用できる。このため、受信部５０で発生する信号ノイズが、平面アンテナ４０での衛星信号の受信に影響することを防止でき、平面アンテナ４０の受信特性を向上できる。
【００６１】
回路基板２３の裏面側に、受信部５０、制御部６１、電源用ＩＣ７５の各ＩＣを配置したので、回路基板２３と裏蓋１２との間の他の部品が配置されない空間を有効に利用できる。このため、腕時計である電子時計１において、比較的大きな部品である受信部５０、制御部６１、電源用ＩＣ７５の各ＩＣを容易に配置することができる。
さらに、回路基板２３の裏面側において、受信部５０は平面アンテナ４０と平面視で重なる位置に配置し、制御部６１は第２領域２０２に配置し、電源用ＩＣ７５は第１領域２０１に配置しているので、各ＩＣを分散して配置することができる。このため、回路基板２３の表面側にＩＣを配置する必要が無く、回路基板２３の表面側に配置される平面アンテナ４０、モーター２２１〜２２４、輪列２２５，２２７，２２８などの配置スペースを確保できる。
【００６２】
外装ケース１０の一部、例えば、胴１１１や裏蓋１２を金属製にできるので、電子時計１の質感を向上できる。さらに、文字板２の外周に沿って配置されるダイヤルリング３２等のリング部材を非導電性部材で構成しているので、平面アンテナ４０は、時計のカバーガラス３１側から、文字板２やダイヤルリング３２、地板２１を通して衛星信号を受信でき、胴１１１や裏蓋１２が金属製であっても受信性能を確保できる。
【００６３】
平面アンテナ４０と平面的に重ならない位置にサブダイヤル２Ａを設けているので、サブダイヤル２Ａの目盛等に金属製部品を用いることができ、意匠性を向上できる。
【００６４】
地板２１の被覆部２１５および誘電体基材４１の露出面４１１間に緩衝材４７を配置し、平面アンテナ４０の露出面４１１を緩衝材４７に当接させているので、電子時計１の高さ方向（厚さ方向）における平面アンテナ４０の位置を精度よく設定できる。このため、地板２１に対する平面アンテナ４０の位置精度を向上でき、位置精度のばらつきによるアンテナ周波数の変化量をさらに低減できてアンテナ特性をより安定化できる。
さらに、平面アンテナ４０の露出面４１１は、緩衝材４７に当接するため、被覆部２１５に直接接触することを防止でき、セラミックで形成された誘電体基材４１の破損を防止できる。
【００６５】
日車５を非導電性部材で形成したので、平面視において日車５を平面アンテナ４０と重ねて配置しても、衛星信号は日車５を透過してアンテナに入射するため、受信性能が低下することを防止できる。
また、日車５は、平面視において平面アンテナ４０と重なるため、日車５および平面アンテナ４０を避けて配置する指針３、４の指針軸３Ａ、４Ａの配置位置の自由度が高まり、電子時計１のデザイン自由度を向上できる。
【００６６】
平面アンテナ４０は、平面視において太陽電池パネル２５と重ならないため、時計の表面側から伝播されてくる衛星信号は、太陽電池パネル２５で遮られることなく平面アンテナ４０に入射する。このため、受信性能を低下させることなく、太陽電池パネル２５を電子時計１に設けることができる。
【００６７】
時計の表面側から見た平面視において、平面アンテナ４０は、ケース本体１１（胴１１１およびベゼル１１２）と重なっていないため、時計の表面側から伝播されてくる衛星信号は、カバーガラス３１を透過した後、ケース本体１１で遮られることなく平面アンテナ４０に入射する。このため、受信性能を低下させることなく、ケース本体１１および裏蓋１２を金属等の導電性部材にて形成でき、電子時計１の質感を向上できる。
また、ベゼル１１２を導電性部材にて形成しているので、ベゼル１１２をセラミック製とした場合に比べて加工が容易になりデザインの自由度を向上でき、コストも低減できる。また、ベゼル１１２は金属製のため、セラミック製のベゼルに比べて小さな断面積で剛性を確保できる。このため、リング状のベゼル１１２の断面幅寸法を小さくでき、カバーガラス３１の平面サイズを大きくすることもでき、時計のデザインの自由度を向上できる。
【００６８】
胴１１１および裏蓋１２は、受信部５０のグランド部に接続されるため、グランドプレーンとして機能する。これにより、グランドプレーンの面積を大きくとることができ、アンテナ利得が向上してアンテナ特性を向上できる。
【００６９】
［第２実施形態］
次に、本発明の第２実施形態について、図１０〜１２を参照して説明する。なお、第２実施形態において、第１実施形態と同一または同様の構成には同一符号を付し、説明を省略する。
第２実施形態の電子時計１００は、ステップモーターの数および指針軸の数を第１実施形態よりも増やした点と、平面サイズの小さい二次電池２４Ａを用いて、二次電池２４Ａがステップモーター２２１〜２２４、平面アンテナ４０だけでなく、輪列２２５，２２７，２２８とも平面的に重ならないように配置した点が第１実施形態と相違する。
【００７０】
このため、第２実施形態では、図１１にも示すように、指針軸３Ａや指針軸４Ａとは平面視で異なる位置に指針軸９Ａを設け、この指針軸９Ａを駆動する第５ステップモーター２２９を追加している。
すなわち、指針３の時針３Ｄおよび分針３Ｃを駆動する第１ステップモーター２２１および第１輪列２２５は、図１０，１１に示すように、指針軸３Ａに近接する位置に配置されている。
また、指針３の秒針３Ｂを駆動する第２ステップモーター２２２および第２輪列（図示略）と、指針４を駆動する第３ステップモーター２２３および第３輪列（図示略）と、日車５を駆動する第４ステップモーター２２４および第４輪列（図示略））とは、前記第１実施形態と同様の位置に配置されている。
【００７１】
一方、第２実施形態では、指針軸３Ａ、指針軸４Ａとは平面視で異なる位置に指針軸９Ａが配置されている。そして、指針軸９Ａを駆動する第５ステップモーター２２９および第５輪列（図示略）が配置されている。
第２実施形態では、第１領域２０１に第４ステップモーター２２４、第５ステップモーター２２９が配置され、第２領域２０２に第２ステップモーター２２２、第３ステップモーター２２３が配置されている。なお、第１ステップモーター２２１は、第１領域２０１、第２領域２０２に跨がって配置されている。
また、図１１に示すように、電子時計１の３時位置には巻真８１が配置され、巻真８１の周囲には、おしどり８２等のスイッチ機構（切換機構）が配置されている。
【００７２】
第２実施形態では、第１実施形態の二次電池２４に比べて平面サイズの小さな二次電池２４Ａを用いている。すなわち、第１実施形態の二次電池２４の直径は、図６に示すように、時刻表示部１Ａとほぼ同じ大きさのムーブメント２０の地板２１の半径よりも大きい。一方、第２実施形態の二次電池２４Ａの直径は、図１１に示すように、ムーブメント２０の地板２１の半径よりも小さい。このため、二次電池２４Ａは、時刻表示部１Ａと平面視で重なる領域において、時刻表示部１Ａの平面中心位置に配置された指針軸３Ａと、時刻表示部１Ａの外周縁との間に配置されている。
このため、第１実施形態の二次電池２４は、例えば直径２０mm、厚さ１．６mmのコイン型リチウム電池を用いているのに対し、第２実施形態の二次電池２４Ａは、例えば、直径９mm、厚さ３．７mmのリチウム電池を用いている。
【００７３】
二次電池２４Ａは、二次電池２４に比べて直径が小さいため、回路基板２３Ａにおいて二次電池２４Ａが配置される切欠部２３１Ａも小さくできる。そして、二次電池２４Ａは、平面アンテナ４０、第１モーター２２１〜第５ステップモーター２２９だけでなく、第１輪列２２５〜第５輪列とも平面的に重ならないように配置されている。
すなわち、第１実施形態の二次電池２４では、指針３の指針軸３Ａの直下まで二次電池２４が配置されているのに対し、二次電池２４Ａは、指針軸３Ａ，４Ａ，９Ａと平面的に重ならないように配置できる。
【００７４】
電子時計１００においては、二次電池２４Ａが第１〜第５輪列と平面的に重ならないため、図１２に示すように、指針３の指針軸３Ａを軸支する輪列受け２７の裏蓋１２側に、耐磁板２８や回路押さえ２９を配置できる。さらに、指針軸３Ａだけでなく、指針軸４Ａ、９Ａを軸支する輪列受け２７とも平面的に重ならない。このため、これらの指針軸４Ａ、９Ａを軸支する輪列受け２７の裏蓋１２側にも耐磁板２８や回路押さえ２９を配置できる。
【００７５】
このような第２実施形態の電子時計１００によれば、二次電池２４Ａは直径が小さいため、回路基板２３Ａにおける切欠部２３１Ａも小さくできる。このため、回路基板２３に比べて回路基板２３Ａの面積を大きくでき、配線の自由度を向上できて理想的なパターンの引き回しをできる。その上、回路基板２３Ａにおけるグランド面積も増えるため、平面アンテナ４０における受信性能を向上できる。
さらに、二次電池２４Ａは、平面サイズが小さいため、ムーブメント２０において、平面アンテナ４０、第１ステップモーター２２１〜第５ステップモーター２２９、第１輪列２２５〜第５輪列と平面的に重ならない位置に配置しても、電子時計１００を小型化できる。また、二次電池２４Ａおよび平面アンテナ４０を、３時位置に配置される巻真８１やおしどり８２等の切換機構と干渉しない位置に配置しているので、電子時計１００を小型化できる。
【００７６】
さらに、指針軸３Ａに秒針３Ｂ、分針３Ｃ、時針３Ｄを押し込んで取り付ける場合に、指針軸３Ａから輪列受け２７に加わる力を、耐磁板２８、回路押さえ２９で支持することができる。耐磁板２８や回路押さえ２９は、金属製部品であり、強度が高いため、針押し込み時の押し込み力を支持でき、安定した針取付性を確保できる。
同様に、指針軸４Ａ、９Ａの裏蓋側にも耐磁板２８や回路押さえ２９を配置でき、これらの金属製部品によって指針軸４Ａ、９Ａへの針押し込み力を支持でき、針取付性の確実性を向上できる。
また、直径が小さい二次電池２４Ａは、平面アンテナ４０と離して配置することができる。このため、給電ピンから離れた箇所に二次電池２４Ａを配置でき、受信感度への影響を抑制できる。
その上、コイン型リチウムイオン電池のような高出力二次電池は、経年劣化によって厚み方向に膨らむが、二次電池２４Ａは輪列等と平面的に重ならないため、厚さ寸法の増加の影響を受けることがない。
【００７７】
［他の実施形態］
なお、本発明は前記実施形態に限定されず、本発明の要旨の範囲内で種々の変形実施が可能である。
【００７８】
例えば、平面アンテナや回路基板の構成は、前記各実施形態に限定されず、図１３に示す平面アンテナ４０Ａを用いてもよい。この平面アンテナ４０Ａは、誘電体基材４１Ａの表面に積層されるアンテナ電極４２Ａを回路基板２３の平面中心位置側、つまり電子時計１の平面中心位置側にずらして形成している。このため、誘電体基材４１Ａの表面の露出面４１１Ａにおいて、アンテナ電極４２Ａから胴１１１側の露出面４１１Ａの長さ寸法Ｄ１は、アンテナ電極４２Ａから回路基板２３の平面中心位置側の露出面４１１Ａの長さ寸法Ｄ２よりも大きく設定されている。言い換えると、アンテナ電極４２Ａの平面的な中心位置が、誘電体基材４１Ａの中心位置と一致しておらず、誘電体基材４１Ａの中心位置よりも電子時計１の平面中心位置側になるように形成されている。
また、長さ寸法Ｄ１は、平面視において、胴１１１に最も近いアンテナ電極４２Ａの一辺から、胴１１１に最も近い誘電体基材の一辺までの長さ寸法と言い換えることができる。そして、長さ寸法Ｄ２は、電子時計１の平面中心位置に最も近いアンテナ電極４２Ａの一辺から、電子時計１の平面中心位置に最も近い誘電体基材の一辺までの長さ寸法と言い換えることができる。
このように平面アンテナ４０Ａのアンテナ電極４２Ａを金属製の胴１１１から離れるように配置することで、金属製の胴１１１による電波の遮蔽の影響を低減することができる。
【００７９】
前記第１実施形態では、４つのステップモーター２２１〜２２４を第１領域２０１、第２領域２０２に２つずつ配置していたが、図１４に示すように、第１ステップモーター２２１、第２ステップモーター２２２、第３ステップモーター２２３の３つのモーターを配置する場合は、第１領域２０１、第２領域２０２のいずれか一方に２つのモーターを配置し、他方に１つのモーターを配置すればよい。
さらに、５つのモーターを配置する場合は、第２実施形態の配置に限定されず、第１領域２０１、第２領域２０２のいずれか一方に３つのモーターを配置し、他方に２つのモーターを配置してもよい。
すなわち、複数のモーターを配置する場合、第１領域２０１、第２領域２０２にそれぞれ分散して配置すればよく、特にモーターが偶数個の場合は各領域２０１，２０２に同数のモーターを配置し、モーターが奇数個の場合は各領域２０１，２０２に配置されるモーター数の差が「１」となるように配置すればよい。
【００８０】
さらに、本発明は、２つの領域２０１，２０２にモーターを分散配置するものに限定されない。例えば、二次電池２４と平面アンテナ４０とが、各平面中心位置を結ぶ直線が文字板２の中心位置を通らないように配置されている場合には、前記直線で区画される２つの領域の面積が異なる。このような場合、面積が大きな領域側に、複数のステップモーターのすべてを配置してもよい。また、各領域に配置されるモーター数の差が「２」以上となるように配置してもよい。
【００８１】
また、第２実施形態の二次電池２４Ａのような平面サイズが小さい小型の電池を用いた場合、平面アンテナ４０および二次電池２４Ａの配置が図１１に示すように、平面アンテナ４０の平面中心点４０１と二次電池２４Ａの中心点２４１を結ぶ直線２００が、地板２１の中心位置を通るものに限定されない。例えば、図１５に示すように、地板２１（時刻表示部１Ａ）の中心位置を通る２本の直線２０３、２０４で時刻表示部１Ａと平面的に重なる領域を第１扇形領域２０５から第４扇形領域２０８まで４つの扇形領域２０５〜２０８に区画する。そして、第１扇形領域２０５に平面アンテナ４０を配置する。この際、２本の直線２０３，２０４は、第１扇形領域２０５を平面アンテナ４０の全体が配置可能な最小面積となる位置に設定している。
そして、第１扇形領域２０５に対して、地板２１の中心位置を挟んで対向配置される第３扇形領域２０７には、二次電池２４Ａの少なくとも一部が配置される。図１５では、平面形状が円形の二次電池２４Ａの平面中心位置が第３扇形領域２０７に位置するように配置しているため、二次電池２４Ａの平面積の半分は第３扇形領域２０７に位置することになる。したがって、図１５では、二次電池２４Ａの大半は第３扇形領域２０７に配置され、一部が第２扇形領域２０６に配置されている。
このため、対向配置された第１扇形領域２０５に平面アンテナ４０が配置され、第３扇形領域２０７に二次電池２４Ａが配置されるので、ムーブメント２０におけるスペースを有効に活用できる。
【００８２】
前記実施形態では、ケース本体１１は、胴１１１およびベゼル１１２によって構成されていたが、本発明はこれに限定されない。すなわち、胴１１１のみによって構成されていてもよい。
【００８３】
前記実施形態では、ベゼル１１２は導電性部材で形成されているが、本発明はこれに限定されない。例えば、ベゼル１１２は、非導電性部材であるジルコニア（ＺｒＯ２）などのセラミックにて形成されていてもよい。ジルコニアは、抵抗率が高く電波受信に悪影響を与えないだけではなく、硬く耐傷性にも優れるため、時計の外装部材として優れている。また、ベゼル１１２をセラミック製とすると、ベゼル１１２をアンテナ電極４２と平面視で重ねることができる。このため、ベゼル１１２がアンテナ電極４２と平面的に重ならないように胴１１１の直径を大きくする必要が無いため、胴１１１の直径を小さくすることができ、電子時計１の平面サイズを小型化できる。
【００８４】
前記実施形態では、電子時計１は、日車５、太陽電池パネル２５、ダイヤルリング３２を備えているが、本発明はこれに限定されない。すなわち、電子時計は、日車５、太陽電池パネル２５、ダイヤルリング３２を備えていなくてもよい。
【００８５】
前記実施形態および前記変形例では、胴１１１および裏蓋１２は、受信部５０のグランド部に接続されているが、本発明はこれに限定されない。すなわち、胴１１１および裏蓋１２は、当該グランド部に接続されていなくてもよい。
【００８６】
前記実施形態および変形例では、電子時計は、文字板２および指針３からなる時刻表示部１Ａを備えているが、本発明はこれに限定されない。電子時計は、液晶パネル等からなる時刻表示部を備えていてもよい。この場合、時刻表示部を駆動する駆動体は、液晶パネルを駆動する駆動部を備えて構成される。
また、この場合、電子時計は時刻表示機能を備えていればよく、時刻表示部は、時刻表示専用の表示部である必要はない。このような電子時計としては、ユーザーの腕に装着されて脈拍を計測する脈拍計や、ユーザーがランニングを行う際などにユーザーの腕に装着されて現在位置を計測して蓄積するＧＰＳロガー等のリスト型機器を例示できる。
【００８７】
位置情報衛星の例として、ＧＰＳ衛星Ｓについて説明したが、これに限られない。例えば、位置情報衛星としては、ガリレオ（ＥＵ）、ＧＬＯＮＡＳＳ（ロシア）、Ｂｅｉｄｏｕ（中国）などの他の全地球的公航法衛星システム（ＧＮＳＳ）で利用される衛星が適用できる。また、静止衛星型衛星航法補強システム（ＳＢＡＳ）などの静止衛星や、準天頂衛星等の特定の地域のみで検索できる地域的衛星測位システム（ＲＮＳＳ）などの衛星も適用できる。
【符号の説明】
【００８８】
１，１００…電子時計、１Ａ…時刻表示部、１Ｂ…情報表示部、１Ｃ…カレンダー表示部、２…文字板、２Ａ…サブダイヤル、２Ｂ…日窓、３…指針、４…指針、５…日車、１０…外装ケース、１１…ケース本体、１２…裏蓋、２０…ムーブメント、２１…地板、２２…駆動体、２３，２３Ａ…回路基板、２４，２４Ａ…二次電池、２５…太陽電池パネル、２８…耐磁板、３１…カバーガラス、３２…ダイヤルリング、４０，４０Ａ…平面アンテナ、４１，４１Ａ…誘電体基材、４２，４２Ａ…アンテナ電極、４３…ＧＮＤ電極、４７…緩衝材、５０…受信部、６０…制御表示部、６１…制御部、６２…駆動回路、７０…電源供給部、７５…電源用ＩＣ、１１１…胴、１１２…ベゼル、２００…直線、２０１…第１領域、２０２…第２領域、２０５…第１扇形領域、２０７…第３扇形領域、２２１…第１ステップモーター、２２２…第２ステップモーター、２２３…第３ステップモーター、２２４…第４ステップモーター、２２５…第１輪列、２２７…第３輪列、２２８…第４輪列、２２９…第５ステップモーター、２３１…切欠部、２４１…平面中心位置、２５１…切欠部、４０１…平面中心点。
【図１】
0006459455.tif 000002
【図２】
0006459455.tif 000003
【図３】
0006459455.tif 000004
【図４】
0006459455.tif 000005
【図５】
0006459455.tif 000006
【図６】
0006459455.tif 000007
【図７】
0006459455.tif 000008
【図８】
0006459455.tif 000009
【図９】
0006459455.tif 000010
【図１０】
0006459455.tif 000011
【図１１】
0006459455.tif 000012
【図１２】
0006459455.tif 000013
【図１３】
0006459455.tif 000014
【図１４】
0006459455.tif 000015
【図１５】
0006459455.tif 000016